(57)【要約】【課題】部品点数を増やすことなく、安定して生体の状態を測定することができる。【解決手段】生体測定装置は、測定対象に光を照射する発光素子と、測定対象から反射した光を受光する受光素子と、受光素子における受光状況に基づいて、生体の状態を測定するか否かを判定する受光状況監視部と、受光状況監視部が生体の状態を測定すると判定した場合に、受光素子が受光する光に基づいて、生体の状態を測定する制御部と、を備える。【選択図】図３
2016059461.tif 000002
【特許請求の範囲】
【請求項１】
測定対象に光を照射する発光素子と、
前記測定対象から反射した光を受光する受光素子と、
前記受光素子における受光状況に基づいて、生体の状態を測定するか否かを判定する受光状況監視部と、
前記受光状況監視部が生体の状態を測定すると判定した場合に、前記受光素子が受光する光に基づいて、生体の状態を測定する制御部と、
を備えることを特徴とする生体測定装置。
【請求項２】
前記受光状況監視部は、前記受光素子が受光した光の電気信号の強度が第１の閾値より小さくなると生体の測定を中止すると判定し、前記電気信号の強度が前記第１の閾値より大きい第２の閾値以上になると生体の測定を再開すると判定する
ことを特徴とする請求項１に記載の生体測定装置。
【請求項３】
前記受光状況監視部は、前記受光素子が受光した光の電気信号の強度が第１の閾値より小さくなると生体の測定を中止すると判定し、前記電気信号の強度が前記第１の閾値より大きい第２の閾値以上である状態が所定回数以上継続すると生体の測定を再開すると判定する
ことを特徴とする請求項１に記載の生体測定装置。
【請求項４】
前記受光状況監視部が測定しないと判定した場合に、警告を出力する出力部をさらに備える
ことを特徴とする請求項１から３いずれか１項に記載の生体測定装置。
【請求項５】
生体の状態を測定する生体測定装置における生体測定方法であって、
測定対象に光を照射する発光過程と、
前記測定対象から反射した光を受光する受光過程と、
前記受光過程における受光状況に基づいて、生体の状態を測定するか否かを判定する受光状況監視過程と、
前記受光状況監視過程が生体の状態を測定すると判定した場合に、前記受光過程が受光する光に基づいて、生体の状態を測定する制御過程と、
を有することを特徴とする生体測定方法。
【発明の詳細な説明】
【技術分野】
【０００１】
本発明は、生体測定装置及び生体測定方法に関する。
【背景技術】
【０００２】
利用者から生体の情報を採取して生体の状態を測定する携帯端末装置が知られている。例えば、特許文献１に記載の技術は、携帯端末装置のレシーバ(スピーカ)近くに、赤外ＬＥＤと受光素子を備える生体情報検出手段(ヘルスセンサ)を設け、通話の際に耳朶でデータ採取している。また、この携帯端末装置は、安定した生体情報を得る為に、携帯端末装置の動きを測定する為の他センサ(歩数計やカメラ)を搭載し、静止しているときのみヘルスセンサを動作させ、動いている場合はヘルスセンサのパワーをＯＦＦにする誤測定防止回路を備えるものである。
【先行技術文献】
【特許文献】
【０００３】
【特許文献１】特開２０１２−００５８４２号公報
【発明の概要】
【発明が解決しようとする課題】
【０００４】
しかしながら、特許文献１に記載の技術を用いても、安定した生体情報を得る為には他センサ(歩数計やカメラ)を搭載しなければならない、という問題があった。また、携帯機器にとって部品を追加することは小型化を阻害してしまう、という問題があった。
【０００５】
本発明は上記の点に鑑みてなされたものであり、部品点数を増やすことなく、安定して生体の状態を測定することができる生体測定装置及び生体測定方法を提供することを課題とする。
【課題を解決するための手段】
【０００６】
（１）本発明は上記の課題を解決するためになされたものであり、本発明の第１の態様は、測定対象に光を照射する発光素子と、前記測定対象から反射した光を受光する受光素子と、前記受光素子における受光状況に基づいて、生体の状態を測定するか否かを判定する受光状況監視部と、前記受光状況監視部が生体の状態を測定すると判定した場合にのみ、前記受光素子が受光する光に基づいて、生体の状態を測定する制御部と、を備えることを特徴とする生体測定装置である。
【０００７】
（２）また、本発明の第２の態様は、生体の状態を測定する生体測定装置における生体測定方法であって、測定対象に光を照射する発光過程と、前記測定対象から反射した光を受光する受光過程と、前記受光過程における受光状況に基づいて、生体の状態を測定するか否かを判定する受光状況監視過程と、前記受光状況監視過程が生体の状態を測定すると判定した場合にのみ、前記受光過程が受光する光に基づいて、生体の状態を測定する制御過程と、を有することを特徴とする生体測定方法である。
【発明の効果】
【０００８】
本発明によれば、部品点数を増やすことなく、安定して生体の状態を測定することができる。
【図面の簡単な説明】
【０００９】
【図１】本発明の第１の実施形態に係る生体測定装置の外観構成図である。
【図２】第１の実施形態に係る生体測定装置ハードウェア構成の一例を示すハードウェア構成図である。
【図３】第１の実施形態に係るに係る生体測定部の機能構成を示すブロック図である。
【図４】第１の実施形態に係るに係る受光素子が受光する光の電気強度と測定対象からの距離との関係を示すグラフである。
【図５】第１の実施形態に係る生体測定装置の測定処理の一例を示すフローチャートである。
【図６】第１の実施形態に係る生体測定装置の測定再開処理の一例を示すフローチャートである。
【図７】第２の実施形態に係る生体測定装置の測定再開処理の一例を示すフローチャートである。
【図８】第３の実施形態に係る生体測定装置の測定処理の一例を示すフローチャートである。
【発明を実施するための形態】
【００１０】
以下、図面を参照しながら本発明の実施形態について詳しく説明する。
（第１の実施形態）
まず、本発明の第１の実施形態について説明する。
図１は、本実施形態に係る生体測定装置１０の外観構成図である。生体測定装置１０は、利用者の生体の状態を測定する腕時計型の携帯端末装置であり、例えば、心拍計である。本図には、生体測定装置１０が利用者の腕Ｕに固定されている状態を示している。生体測定装置１０は、生体情報検出部１２０を保護する保護板１７０を肌に接触（密着）させるように使用される。生体測定装置１０は、生体測定部１００と、保護板１７０と、固定ベルト１８０とを含んで構成される。生体測定部１００は、生体情報検出部１２０含んで構成される。
【００１１】
生体測定部１００は、生体情報検出部１２０が検出した生体に関する情報に基づいて利用者の心拍（生体の状態）を測定する。生体情報検出部１２０は、利用者（測定対象）に光を照射し、その反射光に基づいて利用者の生体に関する情報（生体情報）を検出する。保護板１７０は、生体情報検出部１２０を保護する透明な板状に構成される。また、保護板１７０は、生体測定装置１０が利用者の腕Ｕに固定されている状態において、生体情報検出部１２０と利用者の腕Ｕとの距離を所定距離、例えば「１」に保つ。固定ベルト１８０は、生体測定装置１０を利用者の腕Ｕに固定するためのベルトである。
【００１２】
図２は、本実施形態に係る生体測定装置１０のハードウェア構成の一例を示すハードウェア構成図である。
生体測定装置１０は、ＣＰＵ１０１（Ｃｅｎｔｒａｌ  Ｐｒｏｃｅｓｓｉｎｇ  Ｕｎｉｔ：中央演算処理装置）と、記憶媒体１０２と、ドライブ部１０３と、入力部１０４と、出力部１０５と、ＲＯＭ１０６（Ｒｅａｄ  Ｏｎｌｙ  Ｍｅｍｏｒｙ：ロム）と、ＲＡＭ１０７（Ｒａｎｄｏｍ  Ａｃｃｃｅｓｓ  Ｍｅｍｏｒｙ：ラム）と、補助記憶部１０８と、通信部１０９と、を備える。
ＣＰＵ１０１と、ドライブ部１０３と、入力部１０４と、出力部１０５と、ＲＯＭ１０６と、ＲＡＭ１０７と、補助記憶部１０８と、通信部１０９とは、バスＢ（母線）を介して相互に接続される。
【００１３】
ＣＰＵ１０１は、補助記憶部１０８が記憶するプログラム、ＲＯＭ１０６およびＲＡＭ１０７が記憶する各種データを読み出して実行し、生体測定装置１０を制御する。また、ＣＰＵ１０１は、ドライブ部１０３を介して記憶媒体１０２が記憶する各種データを読み出して実行し、生体測定装置１０を制御する。記憶媒体１０２は、光磁気ディスク、フレキシブルディスク、フラッシュメモリなどの可搬記憶媒体であり、各種データを記憶する。ドライブ部１０３は、光ディスクドライブ、フレキシブルディスクドライブなどの記憶媒体１０２の読み出し装置である。入力部１０４は、マウス、キーボード、タッチパネルなどの入力装置である。出力部１０５は、表示部、スピーカなどの出力装置である。ＲＯＭ１０６、ＲＡＭ１０７は、各種データを一時的に記憶する。補助記憶部１０８は、ハードディスクドライブ、フラッシュメモリなどであり、上述した生体測定装置１０の各機能部を動作させるためのプログラム、各種データを記憶する。通信部１０９は、通信インターフェースを有し、有線または無線によりネットワークＮＷに接続される。
【００１４】
次に、本実施形態による生体測定部１００の機能構成について説明する。
図３は、本実施形態に係る生体測定部１００の機能構成を示すブロック図である。
生体測定部１００は、制御部１１０と、生体情報検出部１２０と、受光状況監視部１３０と、通信部１４０と、表示部１５０と、記憶部１６０と、を含んで構成される。
【００１５】
制御部１１０は、ＣＰＵ１０１であり、生体測定装置１０全体を統括して制御する。例えば、制御部１１０は、所定のサンプリング周期で発光素子１２１を発光させる。そして、制御部１１０は、受光状況監視部１３０が心拍を測定すると判定した場合にのみ、受光素子１２２が受光する光に基づいて心拍を測定する。制御部１１０は、受光状況監視部１３０から入力された電気信号に基づいて心拍を測定する。具体的には、まず、制御部１１０は、受光状況監視部１３０から入力されたアナログの電気信号をデジタルの電気信号に変換する。続いて、制御部１１０は、デジタルに変換した電子信号の示す受光データを時刻情報と対応付けて記憶部１６０に書き込む。
【００１６】
そして、制御部１１０は、記憶部１６０に記憶された受光データを時間軸に展開して移動平均処理等の前処理やノイズ除去処理を行う。続いて、制御部１１０は、ノイズ除去処理後の受光データのピーク値の時間間隔に基づき、心拍を算出する。制御部１１０は、測定した心拍を表示部１５０に表示する。また、制御部１１０は、通信部１４０を介して、測定した心拍を示す心拍データを他の機器に送信する。
【００１７】
生体情報検出部１２０は、発光素子１２１と、受光素子１２２とを備え、生体に関する生体情報を検出する。発光素子１２１は、測定対象（利用者）に光を照射する。受光素子１２２は、発光素子１２１が照射した光が測定対象（利用者）から反射した反射光を受光し、受光した光を電気信号に変換して受光状況監視部１３０に出力する。
【００１８】
受光状況監視部１３０は、受光素子１２２における受光状況に基づいて、心拍を測定するか否かを判定する。具体的には、受光状況監視部１３０は、受光素子１２２が出力する電気信号の強度（以下、電気強度とする）に基づいて、心拍の測定を継続するか中止するかを判定する。そして、受光状況監視部１３０は、測定を継続すると判定した場合には受光素子１２２が出力した電気信号を制御部１１０に出力する。また、受光状況監視部１３０は、測定を中止すると判定した場合には、測定の中止を通知する中止信号を制御部１１０に出力する。例えば、受光状況監視部１３０は、受光素子１２２が受光した光の電気強度が第１の閾値（例えば、６０）以上である場合には、心拍の測定を継続すると判定する。また、受光状況監視部１３０は、受光素子１２２が受光した光の電気強度が第１の閾値より小さくなると心拍の測定を中止すると判定する。また、受光状況監視部１３０は、心拍の測定の中止中に、受光素子１２２が受光した光の電気強度が第１の閾値より大きい第２の閾値（例えば、８０）以上になると生体の測定を再開すると判定する。
【００１９】
通信部１４０は、通信部１０９であり、他の機器と通信する。表示部１５０は、出力部１０５であり、種々の情報を表示する。記憶部１６０は、ＲＯＭ１０６またはＲＡＭ１０７であり、種々の情報を記憶する。
【００２０】
次に、本実施形態による受光状況監視部１３０における監視方法について説明する。
図４は、本実施形態に係る受光素子１２２が受光する光の電気強度と測定対象からの距離との関係を示すグラフである。
本図に示すグラフの縦軸は受光素子１２２が受光する光の電気強度であり、横軸は測定対象と生体情報検出部１２０との距離である。本図に示すように、距離が「１」のときに電気強度は最大になり、距離が遠くなるほど電気強度は小さい。つまり、電気強度は、生体情報検出部１２０と測定対象との距離に依存している。
【００２１】
一般的に、腕時計型の生体測定装置１０は、生体情報検出部１２０を測定対象である肌に密着させて利用する。生体情報検出部１２０と肌の間には透明な板である保護板１７０が挿入されているため、静態時の穏やかな動きのときには電気強度の最も強い距離「１」の位置で生体測定装置１０は固定されている。しかしながら、利用者が激しい動きをすると、利用者の動きに合わせて生体測定装置１０がずれて生体情報検出部１２０と測定対象との距離が変化するため、受光素子１２２の受光する光の電気強度が変わる。そのため、取得できる電気信号も弱まった上、体の動きまで電気信号に反映されてしまい、誤測定の原因となる。
【００２２】
そこで、本実施形態による生体測定装置１０は、この特性を利用し、受光素子１２２における受光値の揺らぎが大きいと場合には、取得した受光値を有効な生体情報として扱わず、受光素子１２２における受光値の揺らぎが安定している場合に、受光値を有効な生体情報として利用する。
【００２３】
具体的には、受光状況監視部１３０は、受光素子１２２から入力される電気信号の電気強度が第１の閾値以上である場合には、正常な装着状態であると判定し、当該電気信号を制御部１１０に出力する。一方、受光状況監視部１３０は、受光素子１２２から入力される電気信号の電気強度が第１の閾値未満である場合には、異常な装着状態であると判定し、心拍の測定を中止する中止信号を制御部１１０に出力する。これにより、安定した状態でのみ心拍を測定することができる。
【００２４】
また、受光状況監視部１３０は、心拍の測定の中止中に、電気強度が第１の閾値より大きい第２の閾値以上になると、装着状態が正常になったと判定し、制御部１１０に心拍の測定を再開させる。具体的には、受光状況監視部１３０は、制御部１１０に中止信号を送信した後（心拍の測定の中止中）に、受光素子１２２から入力される電気信号の電気強度が第２の閾値以上になると、入力された電気信号を制御部１１０に出力する。心拍測定中止の条件を第１の閾値とし、心拍測定再開の条件を第１の閾値より大きい第２の閾値としているのは、第１の閾値近辺に電気強度が留まるケースが発生した場合に、測定のオン（再開）／オフ（中止）が頻繁に発生することを防ぐためである。
【００２５】
図５は、第１の実施形態に係る生体測定装置１０の測定処理の一例を示すフローチャートである。本図に示す処理は、心拍の測定を開始したときに実行される。
ステップＳＴ１０１において、制御部１１０は、生体情報検出部１２０（心拍センサ）を起動し、発光素子１２１の発光を開始させる。その後、ステップＳＴ１０２の処理に進む。
【００２６】
ステップＳＴ１０２において、受光状況監視部１３０は、受光素子１２２から入力される電気信号の電気強度が６０以上であるか否かを判定する。電気強度が６０以上である場合には、ステップＳＴ１０３の処理に進む。一方、電気強度が６０未満である場合には、ステップＳＴ１０５の処理に進む。
【００２７】
ステップＳＴ１０３において、受光状況監視部１３０は、受光素子１２２から入力された電気信号を制御部１１０に出力する。その後、ステップＳＴ１０４の処理に進む。
ステップＳＴ１０４において、制御部１１０は、受光状況監視部１３０から入力された電気信号に基づいて心拍を算出する。その後、処理を終了する。
【００２８】
ステップＳＴ１０５において、受光状況監視部１３０は、測定の中止を通知する中止信号を制御部１１０に出力する。その後、処理を終了する。
【００２９】
なお、本図には１回の心拍測定の一例について示しているが、繰り返し心拍を測定する場合には、ステップＳＴ１０４の処理の後にステップＳＴ１０２の処理に戻り、心拍の測定を継続する。
【００３０】
図６は、第１の実施形態に係る生体測定装置１０の測定再開処理の一例を示すフローチャートである。本図に示す処理は、上述したステップＳＴ１０５において心拍の測定が中止された後に実行される。すなわち、本図に示す処理は、心拍の測定を中止中に実行される。
【００３１】
ステップＳＴ２０１において、受光状況監視部１３０は、受光素子１２２から入力される電気信号の電気強度が８０以上であるか否かを判定する。電気強度が８０以上である場合には、ステップＳＴ２０２の処理に進む。一方、電気強度が８０未満である場合には、ステップＳＴ２０１の処理を再度実行する。
【００３２】
ステップＳＴ２０２において、受光状況監視部１３０は、受光素子１２２から入力された電気信号を制御部１１０に出力する。その後、ステップＳＴ２０３の処理に進む。
ステップＳＴ２０３において、制御部１１０は、受光状況監視部１３０から入力された電気信号に基づいて心拍を算出する。その後、処理を終了する。
【００３３】
このように、本実施形態によれば、生体測定装置１０は、測定対象に光を照射する発光素子１２１と、測定対象から反射した光を受光する受光素子１２２と、受光素子１２２における受光状況に基づいて、生体の状態を測定するか否かを判定する受光状況監視部１３０と、受光状況監視部１３０が生体の状態を測定すると判定した場合にのみ、受光素子１２２が受光する光に基づいて、生体の状態を測定する制御部１１０と、を備える。
【００３４】
これにより、生体測定装置１０は、生体情報を取得する為に備えた受光素子１２２を利用して、取得した受光値の揺らぎで受光値(生体情報)の有効無効を判断することにより、安定した状態で生体情報を得ることができつつ、部品点数を増やすこと無く、装置の小型化を図ることができる。
【００３５】
（第２の実施形態）
次に、本発明の第２の実施形態について説明する。
本実施形態における生体測定装置１０の構成は、図１から図３に示す第１の実施形態における構成と同様であるため、その説明を省略する。本実施形態と第１の実施形態とは、中止した心拍測定を再開する条件が異なる。第１の実施形態では、受光状況監視部１３０は測定中止中に電気強度が第２の閾値以上になると測定を再開するが、本実施形態では、受光状況監視部１３０は測定中止中に電気強度が第２の閾値以上の状態が所定回数（例えば、５回）以上継続した場合に測定を再開する。
【００３６】
具体的には、本実施形態による受光状況監視部１３０は、心拍の測定中止中に、受光素子１２２から入力される電気信号の電気強度が第２の閾値以上の状態が所定回数以上継続した場合に測定を再開する。すなわち、受光状況監視部１３０は、受光素子１２２が受光した光の電気信号の電気強度が第１の閾値より小さくなると生体の測定を中止すると判定し、電気信号の電気強度が第１の閾値より大きい第２の閾値以上である状態が所定回数以上継続すると生体の測定を再開すると判定する。生体測定装置１０の他の構成は、第１の実施形態と同様であるため、その説明を省略する。
【００３７】
図７は、第２の実施形態に係る生体測定装置１０の測定再開処理の一例を示すフローチャートである。本図に示す処理は、上述したステップＳＴ１０５において心拍の測定が中止された後に実行される。すなわち、本図に示す処理は、心拍の測定を中止中に実行される。なお、本実施形態における生体測定装置１０の測定処理は、第１の実施形態と同様であるため、その説明を省略する。
【００３８】
ステップＳＴ３０１において、受光状況監視部１３０は、受光素子１２２から入力される電気信号の電気強度が８０以上であるか否かを判定する。電気強度が８０以上である場合には、ステップＳＴ３０２の処理に進む。一方、電気強度が８０未満である場合には、受光状況監視部１３０は、回数カウントをリセットし、ステップＳＴ３０１の処理を再度実行する。
【００３９】
ステップＳＴ３０２において、受光状況監視部１３０は、回数カウントを１増加し、受光素子１２２から入力される電気信号の電気強度が８０以上の状態が５回連続したか（回数カウントが５以上であるか）否かを判定する。５回連続した場合には、ステップＳＴ３０３の処理に進む。一方、５回連続していない場合には、ステップＳＴ３０１の処理に戻る。
【００４０】
ステップＳＴ３０３において、受光状況監視部１３０は、受光素子１２２から入力された電気信号を制御部１１０に出力する。その後、ステップＳＴ３０４の処理に進む。
ステップＳＴ３０４において、制御部１１０は、受光状況監視部１３０から入力された電気信号に基づいて心拍を算出する。その後、処理を終了する。
【００４１】
なお、本実施形態では、生体測定装置１０は、心拍の測定を中止中に、受光素子１２２から入力される電気信号の電気強度が第２の閾値以上の状態が所定回数以上連続した場合に心拍の測定を再開しているが、これに限らず、受光素子１２２から入力される電気信号の電気強度が第２の閾値以上の状態が所定時間以上継続した場合に心拍の測定を再開してもよい。
【００４２】
このように、本実施形態によれば、生体測定装置１０は、測定中止中に、受光素子１２２における電気強度が第２の閾値以上である状態が所定回数以上続いた場合に、測定を再開する。これにより、本実施形態による生体測定装置１０は、第１の実施形態における効果に加えて、測定のオン／オフが頻繁に発生することを防いでより安定して心拍を測定することができる。
【００４３】
（第３の実施形態）
次に、本発明の第３の実施形態について説明する。
本実施形態における生体測定装置１０の構成は、図１から図３に示す第１の実施形態における構成と同様であるため、その説明を省略する。本実施形態と第１の実施形態または第２の実施形態とは、生体測定装置１０が心拍の測定を中止する際に、警告を出力する点で異なる。
【００４４】
具体的には、本実施形態による制御部１１０は、受光状況監視部１３０から中止信号が入力されると、警告を表示部１５０に表示させる。この警告は、例えば、ベルトの締めつけ具合の確認や測定姿勢の確認を促すものである。すなわち、表示部１５０は、受光状況監視部１３０が生体の測定を中止すると判定した場合に、警告を出力する出力部である。生体測定装置１０の他の構成は、第１の実施形態または第２の実施形態と同様であるため、説明を省略する。
【００４５】
図８は、第３の実施形態に係る生体測定装置１０の測定処理の一例を示すフローチャートである。本図に示す処理は、使用者が生体測定装置１０を装着したときに実行される。
ステップＳＴ４０１において、制御部１１０は、生体情報検出部１２０（心拍センサ）を起動し、発光素子１２１の発光を開始させる。受光状況監視部１３０は、受光素子１２２から入力される電気信号の電気強度が６０以上であるか否かを判定する。電気強度が６０以上である場合には、ステップＳＴ４０２の処理に進む。一方、電気強度が６０未満である場合には、ステップＳＴ４０４の処理に進む。
【００４６】
ステップＳＴ４０２において、受光状況監視部１３０は、受光素子１２２から入力された電気信号を制御部１１０に出力する。その後、ステップＳＴ４０３の処理に進む。
ステップＳＴ４０３において、制御部１１０は、受光状況監視部１３０から入力された電気信号に基づいて心拍を算出する。その後、処理を終了する。
【００４７】
ステップＳＴ４０４において、受光状況監視部１３０は、測定の中止を通知する中止信号を制御部１１０に出力する。制御部１１０は、中止信号が入力されると、警告を表示部１５０に表示させる。その後、ステップＳ４０１の処理に戻る。
【００４８】
なお、本実施形態では、制御部１１０は、心拍を測定しない場合に、警告を表示部１５０に表示させているが、これに限らず、警告を示すデータを通信部１４０から他の機器に送信してもよい。
【００４９】
このように、本実施形態によれば、生体測定装置１０は、第１の実施形態または第２の実施形態における生体測定装置１０の構成に加えて、受光状況監視部１３０が測定しないと判定した場合に、警告を出力する出力部（表示部１５０）をさらに備える。これにより、本実施形態による生体測定装置１０は、第１の実施形態または第２の実施形態における効果に加えて、生体測定装置１０の装着の改善を使用者に促すことができる。
【００５０】
なお、上述した実施形態における生体測定装置１０の一部、例えば、制御部１１０または受光状況監視部１３０をコンピュータで実現するようにしても良い。その場合、この制御機能を実現するためのプログラムをコンピュータ読み取り可能な記録媒体に記録して、この記録媒体に記録されたプログラムをコンピュータシステムに読み込ませ、実行することによって実現しても良い。なお、ここでいう「コンピュータシステム」とは、生体測定装置１０に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【００５１】
以上、図面を参照してこの発明の一実施形態について詳しく説明してきたが、具体的な構成は上述のものに限られることはなく、この発明の要旨を逸脱しない範囲内において様々な設計変更等をすることが可能である。
【００５２】
例えば、上述した実施形態では、生体測定装置１０を心拍計としたが、生体測定装置１０はこれに限らず、反射光に基づいて生体の状態を測定するものであればよい。
【００５３】
（１）測定対象に光を照射する発光素子と、測定対象から反射した光を受光する受光素子と、受光素子における受光状況に基づいて、生体の状態を測定するか否かを判定する受光状況監視部と、受光状況監視部が生体の状態を測定すると判定した場合にのみ、受光素子が受光する光に基づいて、生体の状態を測定する制御部と、を備えることを特徴とする生体測定装置。
【００５４】
（２）受光状況監視部は、受光素子が受光した光の電気信号の強度が第１の閾値より小さくなると生体の測定を中止すると判定し、電気信号の強度が第１の閾値より大きい第２の閾値以上になると生体の測定を再開すると判定することを特徴とする（１）に記載の生体測定装置。
（３）受光状況監視部は、受光素子が受光した光の電気信号の強度が第１の閾値より小さくなると生体の測定を中止すると判定し、電気信号の強度が第１の閾値より大きい第２の閾値以上である状態が所定回数以上継続すると生体の測定を再開すると判定することを特徴とする（１）に記載の生体測定装置。
【００５５】
（４）受光状況監視部が測定しないと判定した場合に、警告を出力する出力部をさらに備えることを特徴とする（１）から（３）いずれか１項に記載の生体測定装置。
【００５６】
（５）生体の状態を測定する生体測定装置における生体測定方法であって、測定対象に光を照射する発光過程と、測定対象から反射した光を受光する受光過程と、受光過程における受光状況に基づいて、生体の状態を測定するか否かを判定する受光状況監視過程と、受光状況監視過程が生体の状態を測定すると判定した場合にのみ、受光過程が受光する光に基づいて、生体の状態を測定する制御過程と、を有することを特徴とする生体測定方法。
【符号の説明】
【００５７】
１０・・・生体測定装置、１００・・・生体測定部、１１０・・・制御部、１２０・・・生体情報検出部、１２１・・・発光素子、１２２・・・受光素子、１３０・・・受光状況監視部、１４０・・・通信部、１５０・・・表示部、１６０・・・記憶部、１７０・・・保護板、１８０・・・固定ベルト
【図１】
2016059461.tif 000003
【図２】
2016059461.tif 000004
【図３】
2016059461.tif 000005
【図４】
2016059461.tif 000006
【図５】
2016059461.tif 000007
【図６】
2016059461.tif 000008
【図７】
2016059461.tif 000009
【図８】
2016059461.tif 000010